(57)【要約】      （修正有）【課題】施工された戸パネル及び透光壁パネルの下方側の見栄えの向上が可能でありながらも、施工性を向上し得る戸装置の施工方法、戸装置及びこの戸装置を用いた戸装置取付構造を提供する。【解決手段】閉鎖位置の戸パネル２７の戸幅方向一方側に配される透光壁パネル２０を有した戸装置１の施工方法であって、三方枠を開口部に設置する工程と、透光板２５の四周を囲むようにフレーム２１，２２，２３，２４が固定された前記透光壁パネルの上部フレーム２１を上枠１２に当接させ、下部フレーム２２を床に当接させ、パネル幅方向一方側の第１側部フレーム２３を第１縦枠１４に当接させて該透光壁パネルを設置する工程と、前記透光壁パネルのパネル幅方向他方側の第２側部フレーム２４に沿わせるように中間縦枠１６を設置する工程と、前記中間縦枠の反透光壁パネル側の前記上枠と前記床との間に前記戸パネルを建て付ける工程と、を備えている。【選択図】図１
2018104983.tif 000002
【特許請求の範囲】
【請求項１】
閉鎖位置の戸パネルの戸幅方向一方側に配される透光壁パネルを有した戸装置の施工方法であって、
上枠の両端に第１縦枠及び第２縦枠が接合された三方枠を開口部に設置する工程と、
透光板の四周を囲むようにフレームが固定された前記透光壁パネルの上部フレームを前記上枠に当接させ、下部フレームを床に当接させ、パネル幅方向一方側の第１側部フレームを前記第１縦枠に当接させて該透光壁パネルを設置する工程と、
前記透光壁パネルのパネル幅方向他方側の第２側部フレームに沿わせるように中間縦枠を設置する工程と、
前記中間縦枠の反透光壁パネル側の前記上枠と前記床との間に前記戸パネルを建て付ける工程と、
を備えていることを特徴とする戸装置の施工方法。
【請求項２】
上枠並びにこの上枠の両端に接合される第１縦枠及び第２縦枠を有した三方枠と、
透光板の四周を囲むようにフレームが固定され、上部フレームが前記上枠に当接され、下部フレームが床に当接され、パネル幅方向一方側の第１側部フレームが前記第１縦枠に当接されて設置される透光壁パネルと、
前記透光壁パネルのパネル幅方向他方側の第２側部フレームに沿うように設置される中間縦枠と、
前記中間縦枠の反透光壁パネル側の前記上枠と前記床との間に建て付けられる戸パネルと、
を備えていることを特徴とする戸装置。
【請求項３】
請求項２において、
前記上枠には、前記透光壁パネルの上部フレームが嵌め込まれる凹溝が設けられていることを特徴とする戸装置。
【請求項４】
請求項２または３において、
前記第１縦枠には、前記透光壁パネルの第１側部フレームが嵌め込まれる凹溝が設けられていることを特徴とする戸装置。
【請求項５】
請求項２乃至４のいずれか１項において、
前記中間縦枠には、前記透光壁パネルの第２側部フレームが嵌め込まれる凹溝が設けられていることを特徴とする戸装置。
【請求項６】
請求項２乃至５のいずれか１項において、
前記中間縦枠及び前記三方枠は、木質系材料から形成され、前記透光壁パネルの四周のフレームは、金属系材料または合成樹脂系材料から形成されていることを特徴とする戸装置。
【請求項７】
請求項２乃至６のいずれか１項において、
前記中間縦枠の上端部及び下端部には、前記上枠及び前記床に止着される止具の挿通孔と、該止具を覆うように取り付けられる止具キャップと、が設けられていることを特徴とする戸装置。
【請求項８】
請求項２乃至７のいずれか１項に記載の戸装置を用いた戸装置取付構造であって、
前記上枠の下面が該上枠の見込方向両側に設けられる天井パネルの表面と略面一状となるように前記三方枠が設置され、これら見込方向両側の天井パネルの表面及び上枠の下面に一連状に化粧シートが貼着されていることを特徴とする戸装置取付構造。
【発明の詳細な説明】
【技術分野】
【０００１】
本発明は、開口を開閉する戸パネルを備えた戸装置の施工方法、このような施工方法を用いて施工される戸装置及びこの戸装置を用いた戸装置取付構造に関する。
【背景技術】
【０００２】
従来より、住居等の建物の開口を開閉する開き戸や引戸、折戸等の戸パネルを備えた戸装置が知られている。このような戸パネルに採光のためや空間演出性の観点等から透光部や採光窓を設けたものがあるが、閉鎖位置の戸パネルの周囲に透光性を付与したい場合もある。
例えば、下記特許文献１には、開口部にはめ込まれて固着される枠体に、はめ殺し障子と開き障子とを取り付ける構造が開示されている。この取り付け構造は、枠体の上枠のはめ込み凹部に、はめ殺し障子の上部のはめ込み部をはめ込み、はめ殺し障子の下部を、下枠の立ち上がり片に設けられたナット部にねじ具を螺合させて取り付けた構成とされている。
【先行技術文献】
【特許文献】
【０００３】
【特許文献１】実開平２−１３４２８８号公報
【発明の概要】
【発明が解決しようとする課題】
【０００４】
しかしながら、上記構成とされた取り付け構造では、はめ殺し障子及び開き障子の下方側に下枠が設けられ、また、この下枠が出入口となる開口の下側を区画することとなるため、更なる改善が望まれる。
【０００５】
本発明は、上記実情に鑑みてなされたものであり、施工された戸パネル及び透光壁パネルの下方側の見栄えの向上が可能でありながらも、施工性を向上し得る戸装置の施工方法、このような施工方法を用いて施工される戸装置及びこの戸装置を用いた戸装置取付構造を提供することを目的としている。
【課題を解決するための手段】
【０００６】
上記目的を達成するために、本発明に係る戸装置の施工方法は、閉鎖位置の戸パネルの戸幅方向一方側に配される透光壁パネルを有した戸装置の施工方法であって、上枠の両端に第１縦枠及び第２縦枠が接合された三方枠を開口部に設置する工程と、透光板の四周を囲むようにフレームが固定された前記透光壁パネルの上部フレームを前記上枠に当接させ、下部フレームを床に当接させ、パネル幅方向一方側の第１側部フレームを前記第１縦枠に当接させて該透光壁パネルを設置する工程と、前記透光壁パネルのパネル幅方向他方側の第２側部フレームに沿わせるように中間縦枠を設置する工程と、前記中間縦枠の反透光壁パネル側の前記上枠と前記床との間に前記戸パネルを建て付ける工程と、を備えていることを特徴とする。
【０００７】
また、上記目的を達成するために、本発明に係る戸装置は、上枠並びにこの上枠の両端に接合される第１縦枠及び第２縦枠を有した三方枠と、透光板の四周を囲むようにフレームが固定され、上部フレームが前記上枠に当接され、下部フレームが床に当接され、パネル幅方向一方側の第１側部フレームが前記第１縦枠に当接されて設置される透光壁パネルと、前記透光壁パネルのパネル幅方向他方側の第２側部フレームに沿うように設置される中間縦枠と、前記中間縦枠の反透光壁パネル側の前記上枠と前記床との間に建て付けられる戸パネルと、を備えていることを特徴とする。
【０００８】
また、上記目的を達成するために、本発明に係る戸装置取付構造は、本発明に係る戸装置を用いた戸装置取付構造であって、前記上枠の下面が該上枠の見込方向両側に設けられる天井パネルの表面と略面一状となるように前記三方枠が設置され、これら見込方向両側の天井パネルの表面及び上枠の下面に一連状に化粧シートが貼着されていることを特徴とする。
【発明の効果】
【０００９】
本発明に係る戸装置の施工方法によれば、また、本発明に係る戸装置は、上述のような構成としたことで、施工された戸パネル及び透光壁パネルの下方側の見栄えの向上が可能でありながらも、施工性を向上させることができる。また、本発明に係る戸装置取付構造は、このような戸装置を用いているので、施工後の見栄えを向上させることができる。
【図面の簡単な説明】
【００１０】
【図１】本発明の一実施形態に係る戸装置の一例を模式的に示す一部省略概略分解斜視図である。
【図２】同戸装置及びこれを用いた本発明の一実施形態に係る戸装置取付構造の一例を模式的に示す概略正面図である。
【図３】（ａ）は、図２におけるＹ−Ｙ線矢視に対応させた一部破断概略縦断面図、（ｂ）は、図２におけるＸ−Ｘ線矢視に対応させた一部破断概略横断面図である。
【図４】（ａ）、（ｂ）は、本発明の一実施形態に係る戸装置の施工方法の一例を模式的に示し、（ａ）は、一部破断概略正面図、（ｂ）は、一部破断概略縦断面図である。
【図５】（ａ）、（ｂ）は、同施工方法をそれぞれ模式的に示す一部破断概略正面図である。
【図６】（ａ）、（ｂ）は、同施工方法をそれぞれ模式的に示す一部破断概略斜視図である。
【図７】（ａ）、（ｂ）は、本発明の他の実施形態に係る戸装置の一例及びこれを用いた戸装置取付構造の一例を模式的に示し、図３（ａ）、（ｂ）にそれぞれ対応させた一部破断概略断面図である。
【発明を実施するための形態】
【００１１】
以下に本発明の実施の形態について、図面に基づいて説明する。
なお、一部の図では、他図に付している詳細な符号の一部を省略している。
また、以下の各実施形態では、各実施形態に係る戸装置を設置した状態を基準として上下方向等の方向を説明する。
図１〜図６は、第１実施形態に係る戸装置の一例、この戸装置の施工方法の一例及びこの戸装置を用いた戸装置取付構造の一例を模式的に示す図である。
【００１２】
本実施形態に係る戸装置１は、図１〜図３に示すように、上枠１２並びに上枠１２の両端に接合される第１縦枠１４及び第２縦枠１５を有した三方枠１１と、戸パネル２７と、閉鎖位置の戸パネル２７の戸幅方向一方側に配される透光壁パネル２０と、を備えている。また、戸装置１は、第１縦枠１４と第２縦枠１５との間に配される中間縦枠１６を備えている。この中間縦枠１６と三方枠１１とによって戸枠１０を構成している。
この戸装置１は、住居等の建物の間仕切壁等の壁体３を貫通するように設けられる開口部４に設置される。
開口部４は、下側が床２によって区画され、上側が上枠１２の枠下地によって区画され、開口幅方向両側が両側の縦枠（第１縦枠１４及び第２縦枠１５）１４，１５の枠下地によって区画されている。
【００１３】
戸パネル２７は、一方向（上下方向）に長尺な略矩形平板状とされている。この戸パネル２７は、中間縦枠１６の反透光壁パネル２０側の上枠１２と床２との間に建て付けられ、出入口８を開閉する構成とされている。出入口８は、下側が床２によって区画され、上側が上枠１２（本実施形態では、後記するように上枠１２の下面に貼着された化粧シート７）によって区画され、開口幅方向両側が第２縦枠１５及び中間縦枠１６によって区画されている。本実施形態では、この出入口８の開口高を、床２から天井までの高さとしている。つまり、出入口８の下方側に向く天面と天井面とが面一状とされている。
【００１４】
また、本実施形態では、この出入口８を開閉する戸パネル２７の戸高寸法（長さ寸法）を、天井高に応じた寸法としている。この戸パネル２７の戸高寸法は、上端部及び下端部が天井及び床２に干渉しないように、天井高よりも僅かに小さい寸法としてもよい。この戸パネル２７の戸高寸法は、開口高（天井高）に応じて、２４００ｍｍ〜３０００ｍｍ程度としてもよい。なお、開口高が天井高よりも低く、出入口８の上側に垂れ壁状の壁部等が設けられる場合には、標準的な戸高寸法、例えば、１８００ｍｍ〜２１００ｍｍ程度としてもよい。
また、戸パネル２７の戸幅寸法は、開口部の開口幅に応じた寸法であればよく、６００ｍｍ〜１２００ｍｍ程度でもよい。また、戸パネル２７の戸厚寸法は、２０ｍｍ〜４０ｍｍ程度でもよい。
【００１５】
また、本実施形態では、戸パネル２７を、戸幅方向一端部の吊元側端部が出入口８の吊元側に上下方向に沿う軸回りに回転自在に支持される開き戸とした構成としている。本実施形態では、戸パネル２７の吊元側端部を、第２縦枠１５に固定された回転連結部材２９によって支持させた構成としている。また、戸パネル２７の上端部及び下端部のそれぞれに回転連結部材２９，２９を固定した構成としている。また、回転連結部材２９，２９を、戸パネル２７の吊元側端部の上端部及び下端部に切欠状に設けられた凹所に収容される構成としている。このような回転連結部材２９，２９としては、第２縦枠１５に固定される枠側蝶番と、この枠側蝶番に対して上下方向に沿う軸回りに回転自在に保持され、戸パネル２７の吊元側端部に固定される戸側蝶番と、を備えた構成とされたものでもよい。
なお、回転連結部材２９，２９としては、図例のような戸パネル２７の上下端部の凹所に収容される構成とされたものに限られず、第２縦枠１５及び戸パネル２７の吊元側端部の上下方向途中部位に埋込状に設けられる隠し蝶番や、二枚の取付羽根を備えた羽根蝶番等でもよい。
【００１６】
また、戸パネル２７の戸先側端部には、中間縦枠１６に設けられた不図示のラッチ受に（ストライク）に挿入されるラッチ部を有したラッチ錠装置が組み込まれている。このようなラッチ錠装置としては、戸パネル２７の戸先側端部に埋込状に設けられ、戸幅方向に出没自在とされたラッチボルトのラッチ頭部からなるラッチ部を有した構成とされたものでもよい。また、戸パネル２７の戸先側端部の戸厚方向両側には、このラッチ錠装置に連結されてラッチ部を出没させるハンドル２８が設けられる。このようなハンドル２８としては、図例のようなレバー状のものに限られず、握玉状のものや、いわゆるプッシュプルハンドル等でもよい。また、ラッチ錠装置としては、公知のものの採用が可能であり、ラッチ部の没入を阻止するロック機構を有したものやデッドボルトを出没させるサムターンを備えたものでもよい。
【００１７】
また、戸パネル２７は、枠状芯材に表面材を貼着した構成とされたいわゆるフラッシュパネルでもよい。また、戸パネル２７は、枠状芯材の中空部に、ハニカムコア（ペーパーコア）などのコア材が収納された構成とされたものでもよい。
また、図例では、戸パネル２７を、その戸厚方向両面が全面に亘って平坦面状とされたものとしているが、このような態様に限られない。例えば、戸パネル２７を、両側の縦框間に透光板や鏡板状板材を設けたいわゆる二方框状パネルとしたり、さらに上下の横框を設けた四方框状パネルとしたり、透光部（透光窓）やガラリ等が設けられたものとしてもよく、その他、種々の変形が可能である。
【００１８】
透光壁パネル２０は、透光板２５と、この透光板２５の四周を囲むように固定されたフレーム２１，２２，２３，２４と、を備えており、一方向（上下方向）に長尺な略矩形平板状とされている。この透光壁パネル２０は、上部フレーム２１が上枠１２に当接され、下部フレーム２２が床２に当接され、パネル幅方向一方側の第１側部フレーム２３が第１縦枠１４に当接されて設置される。また、この透光壁パネル２０のパネル幅方向他方側の第２側部フレーム２４に沿うように、後記する中間縦枠１６が設置される。
この透光壁パネル２０のパネル高さ寸法は、床２から上枠１２までの上下寸法に応じた寸法とされている。本実施形態では、後記するように、上部フレーム２１が上枠１２に設けられた凹溝１２ａに嵌め込まれる構成としている。従って、透光壁パネル２０のパネル高さ寸法を、床２から上枠１２までの上下寸法に凹溝１２ａに嵌め込まれる上部フレーム２１の寸法を加えた寸法としている。
【００１９】
また、透光壁パネル２０のパネル幅寸法は、当該戸装置１が設置される開口部４の開口幅や戸パネル２７の戸幅寸法に応じて適宜の寸法としてもよい。図例では、この透光壁パネル２０のパネル幅寸法を、戸パネル２７の戸幅寸法よりも小としているが、戸幅寸法よりも大としたり、戸幅寸法と略同寸法としたりしてもよい。
透光板２５は、アクリルやポリカーボネート等の合成樹脂系材料や、ガラス等の透光性材料から形成されている。例えば、この透光板２５を、二枚のガラス板を厚さ方向に接合した合わせガラスとしてもよい。
【００２０】
また、この透光板２５は、略無色透明とされたものに限られず、有色透明とされたものや半透明とされたものでもよい。この透光板２５としては、例えば、透明材料に着色剤が添加されて有色透明とされたものや、樹脂フィルム等が積層されて有色透明とされたものでもよい。また、この透光板２５としては、スモークガラス状やすりガラス状とされたものでもよく、また、二枚の透明（透光）パネル間に、和紙等のシート材を介在させた構成とされたものでもよく、その他、種々の構成とされたものでもよい。
また、この透光板２５は、全体に亘って略一様な厚さとされている。また、この透光板２５の厚さ寸法は、図例では、戸パネル２７の戸厚寸法よりも小とされている。この透光板２５の厚さ寸法は、強度上の観点等から適宜の厚さとしてもよく、例えば、３ｍｍ〜１５ｍｍ程度としてもよい。
【００２１】
四周のフレーム２１，２２，２３，２４は、上方側に配される上部フレーム２１と下方側に配される下部フレーム２２とパネル幅方向一方側の第１側部フレーム２３とパネル幅方向他方側の第２側部フレーム２４とからなる。これら四周のフレーム２１，２２，２３，２４は、互いに同様の構成とされており、透光板２５の四周端部を受け入れる受入溝２１ａ，２２ａ，２３ａ，２４ａを設けた構成とされている。また、これら受入溝２１ａ，２２ａ，２３ａ，２４ａには、透光板２５の四周端部を保持するガスケット（グレイジングガスケット）２６，２６，２６，２６が嵌め込まれている。このようなガスケット２６としては、断面略Ｃ字状とされたいわゆるグレイジングチャンネルやパネル厚さ方向に分離されたグレイジングビードでもよい。
なお、これら四周フレーム２１，２２，２３，２４は、突き合わせられる端部同士がねじや釘等の止具や接着剤等によって接合されたものでもよい。
【００２２】
また、本実施形態では、これら四周フレーム２１，２２，２３，２４を、金属系材料または合成樹脂系材料から形成されたものとしている。金属系材料としては、アルミニウムやステンレス等が挙げられる。また、合成樹脂系材料としては、塩化ビニル樹脂や、その他、種々の樹脂の採用が可能であり、また、ガラス繊維や炭素繊維等の強化繊維を含んだいわゆる繊維強化樹脂でもよい。
また、図例では、四周のフレーム２１，２２，２３，２４の長手方向に見た断面形状を互いに略同寸同形状とした例を示しているが、異なる形状等とされたものでもよい。また、各フレーム２１，２２，２３，２４に、それぞれを固定対象に固定する止具が挿通される挿通孔等を設けた構成としてもよい。
【００２３】
戸枠１０の上枠１２は、開口部４の開口幅方向に長尺状とされている。この上枠１２は、上下方向に厚さ方向を沿わせて配される帯板状とされている。
また、この上枠１２には、透光壁パネル２０の上部フレーム２１が嵌め込まれる凹溝１２ａが設けられている。この凹溝１２ａは、上枠１２の下方側に向く下面（見込面）において開口するように、かつ上枠１２の長手方向に延びるように設けられている。また、凹溝１２ａは、溝長手方向に見て略方形溝状とされている。また、図例では、この凹溝１２ａを、上枠１２の見込方向（壁厚方向に沿う方向）略中央部に設けた例を示しているが、壁体３の壁厚や透光壁パネル２０を設けたい位置等に応じて、見込方向一方側に片寄った位置に設けられたものでもよい。
【００２４】
また、この凹溝１２ａの溝長さ寸法は、上部フレーム２１の長さ寸法に応じた寸法とされたものでもよい。本実施形態では、凹溝１２ａを、上枠１２の出入口８側の下面に取り付けられる戸当たり部材１８の取付溝としても機能するように、上枠１２の全長に亘って設けた構成としている。
また、この凹溝１２ａのパネル厚さ方向に沿う溝幅寸法は、上部フレーム２１の嵌込が可能なように、上部フレーム２１の壁厚方向に沿う寸法に応じた寸法とされている。また、この凹溝１２ａの上下方向に沿う溝深さ寸法は、上部フレーム２１の嵌込が可能なように、上部フレーム２１の上下方向に沿う寸法に応じた寸法とされている。本実施形態では、上部フレーム２１の略全体がこの凹溝１２ａに嵌め込まれる構成としている。なお、このような態様に代えて、上部フレーム２１を、一部が下方側に露出するように凹溝１２ａに嵌め込まれる構成としてもよい。
【００２５】
また、上枠１２は、両側の第１縦枠１４及び第２縦枠１５とによって三方枠１１に枠組みされた状態で、開口部４に設置される。また、上枠１２は、開口部４の下方側に向く適宜の枠下地に固定されるものでもよい。
また、三方枠１１を構成する上枠１２と両側の第１縦枠１４及び第２縦枠１５とは、止具やダボ等の接合部、接着剤等によって接合されるものでもよい。これら上枠１２と両側の第１縦枠１４及び第２縦枠１５とは、図４（ａ）に示すように、縦勝状に接合されるものでもよい。つまり、第１縦枠１４及び第２縦枠１５の上端部の互いに向き合う各内側面と上枠１２の長手方向の各端面とを当接させて接合されるものでもよい。
また、本実施形態では、三方枠１１は、上枠１２の下面が上枠１２の見込方向両側に設けられる天井パネル６，６の下方側に向く表面と略面一状となるように設置される構成とされている。
【００２６】
両側の第１縦枠１４及び第２縦枠１５は、開口部４の開口高方向に長尺状とされている。これら第１縦枠１４及び第２縦枠１５は、図２に示すように、床２から天井に至るように設けられる。本実施形態では、上記のように上枠１２が天井パネル６，６間に言わば埋込状に設けられるので、これら両側の第１縦枠１４と第２縦枠１５とによって言わば二方枠状の外観を呈する。
また、これら第１縦枠１４及び第２縦枠１５は、開口幅方向に厚さ方向を沿わせて配される帯板状とされている。また、これら第１縦枠１４及び第２縦枠１５は、開口部４の開口幅方向中央側に向く適宜の枠下地に固定されるものでもよい。
また、本実施形態では、これら第１縦枠１４及び第２縦枠１５の見込方向両端部に、額縁部材１７，１７，１７，１７の係合片部を受け入れる受入溝１４ｂ，１４ｂ，１５ｂ，１５ｂを設けた構成としている。つまり、本実施形態では、これら第１縦枠１４及び第２縦枠１５を、ケーシング枠状としている。これら受入溝１４ｂ，１４ｂ，１５ｂ，１５ｂは、見込方向外側に向けて開口し、各縦枠１４，１５の長手方向に延びるように全長に亘って設けられている。
【００２７】
額縁部材１７，１７，１７，１７は、互いに同様の構成とされている。なお、これら額縁部材１７，１７，１７，１７の具体的構成の一例を、一つの額縁部材１７を例にとって説明する。
額縁部材１７は、壁厚方向に厚さ方向を沿わせて配される平板状部の壁幅方向（開口部４の開口幅方向に沿う方向）両側の各端部から壁芯に向けて突出するように設けられた係合片部及び当接片部を備えている。この額縁部材１７は、係合片部が受入溝１４ｂ，１４ｂ，１５ｂ，１５ｂに受け入れられ、当接片部が壁体３の壁面に当接されて設置される。この額縁部材１７は、止具や接着剤等によって固定されるものでもよい。
【００２８】
また、本実施形態では、この額縁部材１７を、壁幅方向に沿う見付寸法が比較的に大とされた幅広状とされたものとしている。この額縁部材１７の見付寸法は、標準的な見付寸法（例えば、３０ｍｍ前後）よりも幅広状とされたものでもよく、例えば、４０ｍｍ〜１００ｍｍ程度でもよい。
なお、額縁部材１７，１７，１７，１７は、互いに同様の構成とされたものに限られず、例えば、壁厚等に応じて、壁厚方向一方側の額縁部材１７，１７の係合片部の壁厚方向に沿う寸法が他方側よりも大とされたようなものでもよい。また、第１縦枠１４及び第２縦枠１５を、このような額縁部材１７が設けられるケーシング枠状とした態様に代えて、固定枠状とした態様としてもよい。さらには、これら第１縦枠１４及び第２縦枠１５が壁体３の壁面を構成する壁クロス（壁紙）等の化粧シートによって一連状に覆われる構成とされたものでもよい。
【００２９】
第１縦枠１４には、透光壁パネル２０の第１側部フレーム２３が嵌め込まれる凹溝１４ａが設けられている。この凹溝１４ａは、第１縦枠１４の開口幅方向中央側に向く内側面（見込面）において開口するように、かつ第１縦枠１４の長手方向に延びるように設けられている。この凹溝１４ａは、見込方向で上枠１２の凹溝１２ａに略一致した位置となるように設けられている。また、この凹溝１４ａは、第１縦枠１４の全長に亘って設けられている。
また、この凹溝１４ａは、上枠１２の凹溝１２ａと同様、溝長手方向に見て略方形溝状とされ、溝幅寸法及び溝深さ寸法が第１側部フレーム２３の嵌込が可能なように、第１側部フレーム２３の壁厚方向に沿う寸法及び開口幅方向に沿う寸法に応じた寸法とされている。本実施形態では、上記同様、第１側部フレーム２３の略全体がこの凹溝１４ａに嵌め込まれる構成としているが、第１側部フレーム２３を、一部が開口幅方向中央側に露出するように凹溝１４ａに嵌め込まれる構成としてもよい。
【００３０】
第２縦枠１５には、戸当たり部材１８の取付溝１５ａが設けられている。この取付溝１５ａは、第２縦枠１５の開口幅方向中央側に向く内側面（見込面）において開口するように、かつ第２縦枠１５の長手方向に延びるように設けられている。この取付溝１５ａは、本実施形態では、見込方向で上枠１２の凹溝１２ａに略一致した位置となるように設けられている。また、この取付溝１５ａは、第２縦枠１５の全長に亘って設けられている。
また、この取付溝１５ａは、溝長手方向に見て略方形溝状とされ、戸当たり部材１８の基部の嵌込が可能な溝幅寸法及び溝深さ寸法とされている。本実施形態では、この取付溝１５ａの溝幅寸法及び溝深さ寸法を、上枠１２の凹溝１２ａの溝幅寸法及び溝深さ寸法と略同寸法としている。
【００３１】
中間縦枠１６は、開口部４の開口高方向に長尺状とされている。この中間縦枠１６は、図２に示すように、両側の第１縦枠１４及び第２縦枠１５と略平行状に、床２から天井に至るように設けられる。
また、この中間縦枠１６は、開口幅方向に厚さ方向を沿わせて配される帯板状とされている。この中間縦枠１６の壁厚方向に沿う見込寸法は、第１縦枠１４及び第２縦枠１５の見込寸法よりも小とされている。なお、このような態様に代えて、中間縦枠１６の見込寸法を、第１縦枠１４及び第２縦枠１５の見込寸法または壁厚寸法と略同寸法等としてもよい。
また、この中間縦枠１６の開口幅方向に沿う見付寸法は、第１縦枠１４及び第２縦枠１５の見付寸法よりも大とされている。この中間縦枠１６の見付寸法は、例えば、２０ｍｍ〜３０ｍｍ程度とされた標準的な枠部材の見付寸法よりも大としてもよく、例えば、３５ｍｍ〜６０ｍｍ程度としてもよい。
【００３２】
また、この中間縦枠１６には、透光壁パネル２０の第２側部フレーム２４が嵌め込まれる凹溝１６ａが設けられている。この凹溝１６ａは、中間縦枠１６の第１縦枠１４側に向く側面（見込面）において開口するように、かつ中間縦枠１６の長手方向に延びるように設けられている。この凹溝１６ａは、上記同様、見込方向で上枠１２の凹溝１２ａに略一致した位置となるように設けられている。また、この凹溝１６ａは、中間縦枠１６の全長に亘って設けられている。また、この凹溝１６ａは、上記同様、溝長手方向に見て略方形溝状とされ、溝幅寸法及び溝深さ寸法が第２側部フレーム２４の嵌込が可能なように、第２側部フレーム２４の壁厚方向に沿う寸法及び開口幅方向に沿う寸法に応じた寸法とされている。本実施形態では、上記同様、第２側部フレーム２４の略全体がこの凹溝１６ａに嵌め込まれる構成としているが、第２側部フレーム２４を、一部が第１縦枠１４側に露出するように凹溝１６ａに嵌め込まれる構成としてもよい。
【００３３】
また、本実施形態では、この中間縦枠１６に戸当たり部材１８の取付溝１６ｂを設けた構成としている。この取付溝１６ｂは、中間縦枠１６の第２縦枠１５側に向く側面（見込面）において開口するように、かつ中間縦枠１６の長手方向に延びるように設けられている。つまり、本実施形態では、中間縦枠１６の厚さ方向両側の各見込面に、凹溝１６ａ及び取付溝１６ｂを設けた構成としている。
また、この取付溝１６ｂは、見込方向で上枠１２の凹溝１２ａに略一致した位置となるように設けられている。また、この取付溝１６ｂは、中間縦枠１６の全長に亘って設けられている。また、この取付溝１６ｂは、溝長手方向に見て略方形溝状とされ、戸当たり部材１８の基部の嵌込が可能な溝幅寸法及び溝深さ寸法とされている。本実施形態では、この取付溝１６ｂの溝幅寸法及び溝深さ寸法を、中間縦枠１６の凹溝１６ａの溝幅寸法及び溝深さ寸法と略同寸法としている。
【００３４】
つまり、本実施形態では、中間縦枠１６の厚さ方向両側の各見込面に、溝幅寸法及び溝深さ寸法が互いに略同寸法とされた凹溝１６ａ，１６ｂを壁厚方向で一致する位置となるように設けた構成としている。これら凹溝１６ａ，１６ｂは、一方が戸当たり部材１８の取付溝として機能し、他方が第２側部フレーム２４の嵌込溝として機能する構成とされている。
また、本実施形態では、図６に示すように、中間縦枠１６の上端部及び下端部に、上枠１２及び床２に止着される止具９，９の挿通孔１６ｃ，１６ｃと、止具９，９を覆うように取り付けられる止具キャップ１６ｄ，１６ｄと、を設けた構成としている。
【００３５】
挿通孔１６ｃ，１６ｃは、中間縦枠１６の一方の側面において開口するように設けられている。本実施形態では、これら上下の挿通孔１６ｃ，１６ｃを、中間縦枠１６の第２縦枠１５側に向く側面において開口するように設けた構成としている。また、これら挿通孔１６ｃ，１６ｃを、閉鎖状態の戸パネル２７の戸先側端面が対向される側となる戸当たり部材１８よりも見込方向一方側に設けた構成としている。
上端部の挿通孔１６ｃは、中間縦枠１６の一方の側面から上枠１２に向けて斜め状に止具９の止着（捩じ込み）が可能なように、斜め下方側に向けて開口するように斜め状に設けられている。下端部の挿通孔１６ｃは、中間縦枠１６の一方の側面から床２に向けて斜め状に止具９の止着（捩じ込み）が可能なように、斜め上方側に向けて開口するように斜め状に設けられている。
【００３６】
また、これら上下の挿通孔１６ｃ，１６ｃの開口周囲には、止具キャップ１６ｄ，１６ｄを受け入れる受入凹所が設けられている。
止具キャップ１６ｄ，１６ｄは、挿通孔１６ｃ，１６ｃに挿通された止具９，９の頭部を覆うように中間縦枠１６の上端部及び下端部に取り付けられる。これら止具キャップ１６ｄ，１６ｄは、開口幅方向に厚さ方向を沿わせて配される薄板状とされ、中間縦枠１６の上端部及び下端部に設けられた受入凹所に嵌め入れられる。また、これら止具キャップ１６ｄ，１６ｄは、第２縦枠１５側に向く表面が中間縦枠１６の側面と略同一平面状となるように中間縦枠１６に取り付けられるものでもよい。また、これら止具キャップ１６ｄ，１６ｄは、粘着材や接着剤等によって取り付けられるものでもよい。なお、上下の挿通孔１６ｃ，１６ｃ及び止具キャップ１６ｄ，１６ｄを、中間縦枠１６の厚さ方向両側のそれぞれに設けた構成としてもよい。
【００３７】
また、本実施形態では、戸枠１０を構成する三方枠１１及び中間縦枠１６を、木質系材料から形成されたものとしている。木質系材料としては、合板やＬＶＬ（単板積層材）等の木質積層板や、パーティクルボード等の木質ボード、インシュレーションボードやＭＤＦ（中密度繊維板）等の木質繊維板などを採用するようにしてもよい。また、これら三方枠１１及び中間縦枠１６は、このような木質系材料を基材として、その表面側に突板や樹脂シート等の化粧シートが貼着された構成とされたものでもよい。なお、木質系材料から形成された三方枠１１及び中間縦枠１６としては、全体が木質系材料からなるものに限られず、大半が木質系材料から形成されたものであればよい。また、上記した額縁部材１７や戸当たり部材１８も同様な木質系材料から形成されたものでもよい。
【００３８】
次に、本実施形態に係る戸装置１の施工方法の一例について説明する。
本実施形態に係る戸装置１の施工方法は、図４（ａ）に示すように、上枠１２の両端に第１縦枠１４及び第２縦枠１５が接合された三方枠１１を開口部４に設置する工程を備えている。この三方枠１１は、上枠１２、第１縦枠１４及び第２縦枠１５に設けられた凹溝１２ａ，１４ａ及び取付溝１５ａの溝底を介して枠下地に止具を止着して開口部４に固定するようにしてもよい。また、この三方枠１１は、上記のように、上枠１２の下面が上枠１２の見込方向両側に設けられる天井パネル６，６の表面と略面一状となるように設置される（図４（ｂ）参照）。
また、同施工方法は、図４（ｂ）及び図５に示すように、透光壁パネル２０の上部フレーム２１を上枠１２に当接させ、下部フレーム２２を床２に当接させ、第１側部フレーム２３を第１縦枠１４に当接させて透光壁パネル２０を設置する工程を備えている。
【００３９】
本実施形態では、上記のように設けられた上枠１２の凹溝１２ａに、透光壁パネル２０の上部フレーム２１を嵌め入れるようにしている。この際、透光壁パネル２０を、斜め状にして上部フレーム２１を上枠１２の凹溝１２ａに嵌め入れ、起立させる。そして、図５（ａ）に示すように、上部フレーム２１を上枠１２の凹溝１２ａに仮保持させた状態で、透光壁パネル２０を第１縦枠１４側にスライドさせるように移動させ、第１側部フレーム２３を、第１縦枠１４の凹溝１４ａに嵌め入れる。これにより、透光壁パネル２０は、上端側の上部フレーム２１が上枠１２に仮保持され、パネル幅方向一方側の第１側部フレーム２３が第１縦枠１４に仮保持された状態となる。
また、同施工方法は、図５（ｂ）及び図３（ｂ）に示すように、透光壁パネル２０の第２側部フレーム２４に沿わせるように中間縦枠１６を設置する工程を備えている。この中間縦枠１６の凹溝１６ａに、透光壁パネル２０の第２側部フレーム２４を嵌め入れるようにして中間縦枠１６を設置する。この状態では、透光壁パネル２０の第２側部フレーム２４が中間縦枠１６に当接され、中間縦枠１６の下端が床２に当接され、中間縦枠１６の上端が上枠１２に当接または近接される。なお、上枠１２に、中間縦枠１６の上端部または上端部に設けられた突片部を受け入れる凹所を設けた構成としてもよい。
【００４０】
そして、図６に示すように、中間縦枠１６の上端部を上枠１２に固定し、中間縦枠１６の下端部を床２に固定する。この際、上記した中間縦枠１６の上下の挿通孔１６ｃ，１６ｃを介して止具９，９を上枠１２及び床２のそれぞれに止着する。また、これら上下の挿通孔１６ｃ，１６ｃに挿通された止具９，９の頭部を覆うように止具キャップ１６ｄ，１６ｄを取り付ける。
これにより、開口部４に設置された三方枠１１内の開口幅方向一方側には透光壁パネル２０が設置され、三方枠１１内の開口幅方向他方側には戸パネル２７によって開閉される出入口８が区画形成される。なお、透光壁パネル２０の四周のフレーム２１，２２，２３，２４のうちの少なくとも一つを、当接対象（上枠、床、第１縦枠及び中間縦枠）１２，２，１４，１６に対して止具によって固定するようにしてもよい。
【００４１】
また、同施工方法は、中間縦枠１６の反透光壁パネル側の上枠１２と床２との間に戸パネル２７を建て付ける工程を備えている。この戸パネル２７は、上記のように、回転連結部材２９，２９を介して第２縦枠１５に対して上下方向に沿う軸回りに回転自在に支持される。なお、第２縦枠１５に対して戸パネル２７を支持させる態様に代えて、中間縦枠１６に対して戸パネル２７を支持させる態様としてもよい。つまり、戸パネル２７の吊元側を中間縦枠１６側とし、戸パネル２７の戸先側を第２縦枠１５側として戸パネル２７を建て付けるようにしてもよい。また、第２縦枠１５及び中間縦枠１６のうちのいずれか一方に戸パネル２７を支持させる態様に代えて、上枠１２及び床２に戸パネル２７を支持させる態様等としてもよい。この場合は、回転連結部材２９，２９を適宜、変形するようにすればよい。また、戸パネル２７を建て付ける前に、戸当たり部材１８，１８を上枠１２、第２縦枠１５及び中間縦枠１６に取り付けるようにしてもよい。また、二枚の戸パネル２７を両開き状に設けた構成としてもよい。
【００４２】
また、図３（ｂ）に示すように、両側の第１縦枠１４及び第２縦枠１５に、額縁部材１７，１７，１７，１７を取り付ける。
また、図３（ａ）に示すように、上枠１２の下面と略面一状に設けられた上枠１２の見込方向両側の天井パネル６，６の表面及び上枠１２の下面に一連状に化粧シート７，７を貼着する。この化粧シート７，７は、合成樹脂シートや、壁クロス等としてもよい。なお、透光壁パネル２０側では、上枠１２の凹溝１２ａに嵌め込まれた透光壁パネル２０の上部フレーム２１の下面を覆うように化粧シート７，７を貼着した例を示しているが、このような態様に限られず、上部フレーム２１の下面を露出させるようにしてもよい。また、出入口８側では、上枠１２の凹溝１２ａに取り付けられた戸当たり部材１８の両側のそれぞれに突き付けるように化粧シート７，７を貼着した構成としてもよい。また、上枠１２の見込方向両側の天井パネル６，６の上枠側端部は、上枠１２の枠下地の見込方向両側に設けられた野縁等の天井下地５，５に固定するようにしてもよい。
【００４３】
上記のように施工された戸装置取付構造は、図２及び図３に示すように、開口部４に設置された三方枠１１内の中間縦枠１６の一方側に透光壁パネル２０が設置され、中間縦枠１６の他方側に戸パネル２７が設置された状態となる。また、これら透光壁パネル２０及び戸パネル２７が床２から天井面に概ね至るように設けられた状態となる。また、略面一状とされた上枠１２の下面及びその見込方向両側の天井パネル６，６の表面に、一連状に化粧シート７，７が貼着された状態となる。
なお、上記施工手順は、一例に過ぎず、各部材の機能を阻害しない限りにおいて別手順で行うようにしてもよく、その他、種々の変形が可能である。
【００４４】
本実施形態に係る戸装置１の施工方法によれば、また、本実施形態に係る戸装置１は、上述のような構成としたことで、施工された戸パネル２７及び透光壁パネル２０の下方側の見栄えの向上が可能でありながらも、施工性を向上させることができる。また、本実施形態に係る戸装置取付構造は、このような戸装置１を用いているので、施工後の見栄えを向上させることができる。
つまり、閉鎖位置の戸パネル２７の戸幅方向一方側に透光壁パネル２０が設置される。従って、閉鎖位置の戸パネル２７の側方における採光性や空間演出性を向上させることができる。
また、下部フレーム２２を床２に当接させて透光壁パネル２０が設置され、上枠１２と床２との間に戸パネル２７が設置される。従って、透光壁パネル２０を下枠に固定したり、戸パネル２７の下方側に下枠が設けられるものと比べて、戸パネル２７及び透光壁パネル２０の下方側の見栄えを向上させることができる。
【００４５】
また、開口部４に設置された三方枠１１に透光壁パネル２０が設置され、この透光壁パネル２０の第２側部フレーム２４に沿わせるように中間縦枠１６が設置される。従って、例えば、中間縦枠１６が固定された四方枠に対して透光壁パネル２０を固定するようなものと比べて、透光壁パネル２０の施工性を向上させることができる。つまり、中間縦枠１６を固定した状態では、中間縦枠１６近傍において透光壁パネル２０の第２側部フレーム２４を把持し難くなる。一方、上記構成によれば、透光壁パネル２０の両側部を把持して上枠１２と床２との間に透光壁パネル２０を起立させた状態とし、この透光壁パネル２０を第１縦枠１４側にスライドさせて設置した後に中間縦枠１６を設置することができる。
【００４６】
また、本実施形態では、上枠１２に、透光壁パネル２０の上部フレーム２１が嵌め込まれる凹溝１２ａを設けた構成としている。従って、上枠１２の凹溝１２ａに、透光壁パネル２０の上部フレーム２１を嵌め込んで透光壁パネル２０を設置することができ、透光壁パネル２０の施工性をより向上させることができる。つまり、透光壁パネル２０の上部フレーム２１を上枠１２の凹溝１２ａに嵌め込んで仮保持させることができ、また、仮保持させた状態で、透光壁パネル２０を第１縦枠１４側にスライドさせて設置することができる。また、透光壁パネル２０の上部フレーム２１を目立ち難くすることができ、上部フレーム２１を見栄え良く納めることができる。また、本実施形態では、上枠１２の凹溝１２ａを、上部フレーム２１の略全体を収容可能な構成としているので、上部フレーム２１をより目立ち難くすることができる。
【００４７】
また、本実施形態では、第１縦枠１４に、透光壁パネル２０の第１側部フレーム２３が嵌め込まれる凹溝１４ａを設けた構成としている。従って、第１縦枠１４の凹溝１４ａに、透光壁パネル２０の第１側部フレーム２３を嵌め込んで透光壁パネル２０を設置することができ、透光壁パネル２０の施工性をより向上させることができる。また、第１側部フレーム２３を目立ち難くすることができ、第１側部フレーム２３を見栄え良く納めることができる。また、本実施形態では、上記同様、第１縦枠１４の凹溝１４ａを、第１側部フレーム２３の略全体を収容可能な構成としているので、第１側部フレーム２３をより目立ち難くすることができる。
【００４８】
また、本実施形態では、中間縦枠１６に、透光壁パネル２０の第２側部フレーム２４が嵌め込まれる凹溝１６ａを設けた構成としている。従って、中間縦枠１６の凹溝１６ａに透光壁パネル２０の第２側部フレーム２４を嵌め込むようにして中間縦枠１６を設置することができ、中間縦枠１６の施工性を向上させることができる。また、第２側部フレーム２４を目立ち難くすることができ、第２側部フレーム２４を見栄え良く納めることができる。また、本実施形態では、上記同様、中間縦枠１６の凹溝１６ａを、第２側部フレーム２４の略全体を収容可能な構成としているので、第２側部フレーム２４をより目立ち難くすることができる。
また、本実施形態では、中間縦枠１６の壁幅方向両側に、互いに略同寸同形状とされ、一方が第２側部フレーム２４の嵌込溝とされ、他方が戸当たり部材１８の取付溝とされる凹溝１６ａ，１６ｂを壁厚方向で一致する位置となるように設けた構成としている。従って、中間縦枠１６のいずれ側にも透光壁パネル２０及び戸パネル２７を設置することができる。
【００４９】
また、本実施形態では、中間縦枠１６及び三方枠１１を木質系材料から形成されたものとし、透光壁パネル２０の四周のフレーム２１，２２，２３，２４を金属系材料または合成樹脂系材料から形成されたものとしている。従って、透光板２５の四周を囲むフレーム２１，２２，２３，２４の強度の確保が可能でありながらも、透光壁パネル２０の周囲を木質感のあるものにすることができ、建物内の間仕切壁の開口部４に設置される内装用として好適なものとなる。特に、上部フレーム２１及び左右の側部フレーム２３，２４が上枠１２、第１縦枠１４及び中間縦枠１６の凹溝１２ａ，１４ａ，１６ａに嵌め込まれる構成としているので、これら上部フレーム２１及び左右の側部フレーム２３，２４が目立ち難くなる。これにより、透光板２５の周囲近傍に木質系材料から形成された枠部材（上枠１２、第１縦枠１４及び中間縦枠１６）が設けられることとなり、透光板２５が木製枠に嵌め込まれたような外観を呈することができる。
【００５０】
また、本実施形態では、中間縦枠１６の上端部及び下端部に、上枠１２及び床２に止着される止具９，９の挿通孔１６ｃ，１６ｃと、止具９，９を覆うように取り付けられる止具キャップ１６ｄ，１６ｄと、を設けた構成としている。従って、中間縦枠１６の上端部及び下端部を上枠１２及び床２に対して固定する止具９，９を見栄え良く納めることができる。なお、このような止具キャップ１６ｄ，１６ｄを設けた態様に代えて、中間縦枠１６の取付溝１６ｂの溝底に挿通孔１６ｃ，１６ｃを設けた態様等としてもよい。これによれば、戸当たり部材１８によって止具９，９を覆うこともできる。
【００５１】
また、本実施形態に係る戸装置取付構造は、下面が見込方向両側に設けられた天井パネル６，６の表面と略面一状となるように設置された上枠１２の下面及び見込方向両側の天井パネル６，６の表面に一連状に化粧シート７，７を貼着した構造としている。従って、上枠１２が目立ち難くなり、また、戸パネル２７及び透光壁パネル２０が床２から天井に略至る高さとなり、上枠１２の上方側に垂れ壁等を設けたものと比べて、縦方向に長尺状のすっきりとした外観を呈することができる。なお、このような態様に代えて、上枠１２の上方側に垂れ壁状の壁部を設けた構造等としてもよい。
【００５２】
次に、本発明に係る他の実施形態について、図面を参照しながら説明する。
なお、以下の実施形態では、上記第１実施形態との相違点について主に説明し、同様の構成については、同一の符号を付し、その説明を省略または簡略に説明する。
図７は、第２実施形態に係る戸装置の一例及びこれを用いた戸装置取付構造の一例を模式的に示す図である。
【００５３】
本実施形態に係る戸装置１Ａは、図７に示すように、戸パネル２７Ａを、引戸とし、透光壁パネル２０を、開放位置の戸パネル２７Ａが納められる袖壁とした構成が上記第１実施形態とは主に異なる。本実施形態では、図７（ｂ）に示すように、透光壁パネル２０を壁厚方向一方側に片寄らせて設置される構成とし、その壁厚方向他方側に、開放位置の戸パネル２７Ａが沿うように納められる構成としている。
また、戸枠１０Ａは、上記同様、上枠１２Ａ、両側の第１縦枠１４Ａ及び第２縦枠１５Ａを有した三方枠１１Ａと、中間縦枠１６Ａと、を備えている。
【００５４】
上枠１２Ａには、図７（ａ）に示すように、上記同様な凹溝１２ａが壁厚方向一方側に設けられている。本実施形態では、この凹溝１２ａを、出入口８Ａ側において露出しないように、上枠１２Ａの全長に亘って設けていない構成としてもよい。
また、上枠１２Ａには、戸パネル２７Ａの上端側をガイドする上レール１３が嵌め込まれる受入溝１２ｂが設けられている。この受入溝１２ｂは、上枠１２Ａの下面の壁厚方向他方側において開口するように、上枠１２Ａの全長に亘って設けられている。本実施形態では、上枠１２Ａの受入溝１２ｂを、上レール１３の概ね全体を受入可能とした構成としている。
【００５５】
上レール１３は、戸パネル２７Ａの上端部に設けられた被ガイド部を構成するランナー２８Ａをガイドするガイド溝１３ａを下向きに開口するように設けた構成とされている。この上レール１３は、全開位置と閉鎖位置とを移動する戸パネル２７Ａの上端側のガイドが可能なように、適宜の長さ寸法とされている。また、上レール１３は、ガイド溝１３ａの溝底側を区画する天壁部とガイド溝１３ａの溝幅方向両側を区画する両側壁部とを備えている。また、上レール１３は、これら両側壁部の下端部から互いに向き合う方向に突出し、ランナー２８Ａの転動体を走行自在に案内支持する案内片部を備えている。また、図例では、上レール１３の両側壁部の下端部からレール幅方向外側に向けて突出し、上枠１２Ａの受入溝１２ｂの両開口縁に当接される突片部を設けた構成としている。
【００５６】
また、本実施形態においても、上枠１２Ａを、その下面が見込方向両側の天井パネル６，６の表面と略面一状となるように設置し、天井パネル６，６の表面及び上枠１２Ａの下面に一連状に化粧シート７，７を貼着した構成としている。これら両側の化粧シート７，７は、出入口８Ａ側では、上レール１３の両側の突片部に突き付けるように貼着されたものでもよい。また、これら両側の化粧シート７，７は、透光壁パネル２０側では、透光壁パネル２０及び上レール１３の一方の突片部に突き付けるように貼着されたものでもよい。また、透光壁パネル２０と上レール１３の他方の突片部との間において露出する上枠１２Ａの下面を覆うように化粧シート７を貼着するようにしてもよい。
【００５７】
第１縦枠１４Ａには、図７（ｂ）に示すように、上枠１２Ａの凹溝１２ａと同様、壁厚方向一方側に凹溝１４ａが設けられている。また、第１縦枠１４Ａの壁厚方向他方側には、戸パネル２７Ａの戸尻側端部を受け入れる戸じゃくり溝１４ｃが設けられている。
第２縦枠１５Ａには、上記第１実施形態のような取付溝が設けられておらず、第１縦枠１４Ａと同様、壁厚方向他方側に、戸パネル２７Ａの戸先側端部を受け入れる戸じゃくり溝１５ｃが設けられている。
【００５８】
中間縦枠１６Ａは、壁厚方向他方側に戸パネル２７Ａの移動スペースが形成されるように、壁厚方向に沿う見込寸法が両側の第１縦枠１４Ａ及び第２縦枠１５Ａの見込寸法よりも小とされている。この中間縦枠１６Ａの壁幅方向一方側には、上記同様、凹溝１６ａが設けられ、壁幅方向他方側には、上記第１実施形態のような取付溝を設けていない構成としている。また、中間縦枠１６Ａの壁厚方向他方側となる戸パネル２７Ａに対面する側の端部に、戸パネル２７Ａの透光壁パネル２０に対面する側の面に摺るように接する隙間遮蔽部材（モヘア部材）１６ｅを設けた例を示している。
【００５９】
戸パネル２７Ａの上端部には、図７（ａ）に示すように、上レール１３にガイドされる被ガイド部としてのランナー２８Ａが設けられている。このランナー２８Ａは、戸パネル２７Ａの上端部の戸幅方向両端部のそれぞれに設けられたものでもよい。また、ランナー２８Ａには、上レール１３の案内片部上を上レール１３の長手方向に沿って転動する転動体（ローラー）が設けられている。
また、戸パネル２７Ａの下端部には、下向きに開口するガイド溝２９Ａが設けられている。このガイド溝２９Ａに、床２側に設けられ、戸パネル２７Ａの下端側をガイドする下端ガイド部材１９が差し入れられる構成とされている。下端ガイド部材１９としては、磁石を設けたガイドピンを上下方向に出没自在に収容し、床２に埋め込まれるように配設されるマグネットガイドとしてもよい。この場合は、戸パネル２７Ａのガイド溝２９Ａに、この下端ガイド部材１９に対応させて磁石や磁性体等を設けてもよい。戸パネル２７Ａの下端側をガイドする下端ガイド部材１９としては、その他、種々の構成とされたものでもよい。
【００６０】
上記構成とされた本実施形態に係る戸装置１Ａも、上記第１実施形態において説明した施工方法と概ね同様にして施工可能である。つまり、上記同様、三方枠１１Ａを設置する工程、透光壁パネル２０を設置する工程、中間縦枠１６Ａを設置する工程及び戸パネル２７Ａを建て付ける工程を備えた施工方法によって施工可能である。
また、本実施形態に係る戸装置１Ａ及びこれを用いた戸装置取付構造においても、上記第１実施形態と概ね同様の効果を奏する。
【００６１】
なお、本実施形態では、戸装置１Ａを、片引き状に配される一枚の戸パネル２７Ａを備えた構成としているが、引き違い状に配される複数枚の戸パネル２７Ａを備えた構成としてもよい。また、両引き状（引き分け状）に配される複数枚の戸パネル２７Ａを備えた構成としてもよい。この場合は、第２縦枠１５Ａ側にも透光壁パネル２０及び中間縦枠１６Ａを設けた構成としてもよい。つまり、三方枠１１Ａの開口幅方向両側に袖壁として配される透光壁パネル２０を備えた構成としてもよい。
また、戸パネル２７，２７Ａを、開き戸や引戸を構成するものとした態様に代えて、二枚の戸体を折畳及び展開自在に連結した折戸を構成するものとしてもよい。
上記各実施形態に係る戸装置１，１Ａ及びこれを用いた戸装置取付構造の各部の具体的な構成は、上記したような構成に限られず、その他、種々の変形が可能である。
【符号の説明】
【００６２】
１，１Ａ      戸装置
１１，１１Ａ  三方枠
１２，１２Ａ  上枠
１２ａ        凹溝
１４，１４Ａ  第１縦枠
１４ａ        凹溝
１５，１５Ａ  第２縦枠
１６，１６Ａ  中間縦枠
１６ａ        凹溝
１６ｃ        挿通孔
１６ｄ        止具キャップ
２０          透光壁パネル
２１          上部フレーム
２２          下部フレーム
２３          第１側部フレーム
２４          第２側部フレーム
２５          透光板
２７，２７Ａ  戸パネル
２            床
４            開口部
６            天井パネル
７            化粧シート
９            止具
【図１】
2018104983.tif 000003
【図２】
2018104983.tif 000004
【図３】
2018104983.tif 000005
【図４】
2018104983.tif 000006
【図５】
2018104983.tif 000007
【図６】
2018104983.tif 000008
【図７】
2018104983.tif 000009